(57)【要約】  本開示は、表示技術分野に属する発光素子及び表示装置を提供する。該発光素子は、画素定義層と、該画素定義層によって離間された、隣接する第１サブ画素の機能層及び第２サブ画素の機能層を含む機能層をそれぞれ有する、複数のサブ画素と、該画素定義層に設けられるバリア部材とを備える。本開示において、画素定義層上には、該第１サブ画素及び該第２サブ画素がそれぞれ画素定義層の上方に発射され混光現象を発生させる光線を、可能な限り阻止するバリア部材を設けられる。こうして、隣接する第１サブ画素と第２サブ画素との間の混光現象を抑制して、表示効果を向上することができる。【選択図】図１
2021516843.tif 000002
【特許請求の範囲】
【請求項１】
画素定義層と、
前記画素定義層によって離間された、隣接する第１サブ画素の機能層と第２サブ画素の機能層を含む機能層をそれぞれ有する、複数のサブ画素と、
前記画素定義層に設けられるバリア部材とを備える、発光素子。
【請求項２】
前記バリア部材は、第１部分及び第２部分を含み、前記第１部分の材料は、前記第１サブ画素の機能層の少なくとも一部の材料と同じであり、前記第２部分の材料は、前記第２サブ画素の機能層の少なくとも一部の材料と同じであり、ここで、前記第１部分と前記第２部分とは、前記画素定義層に重なる、請求項１に記載の発光素子。
【請求項３】
前記機能層は発光層を含む、請求項２に記載の発光素子。
【請求項４】
前記機能層は電子輸送層及び正孔輸送層をさらに含み、前記発光層は、前記電子輸送層と前記正孔輸送層との間に位置し、
前記第１部分と前記第２部分がいずれも前記電子輸送層と同じ材料の部分を含む場合、前記第１部分に含まれる前記電子輸送層と同じ材料の部分と、前記第２部分に含まれる前記電子輸送層と同じ材料の部分とが離間され、
前記第１部分と前記第２部分がいずれも前記正孔輸送層と同じ材料の部分を含む場合、前記第１部分に含まれる前記正孔輸送層と同じ材料の部分と、前記第２部分に含まれる前記正孔輸送層と同じ材料の部分とが離間される、請求項３に記載の発光素子。
【請求項５】
前記第１部分は、前記第１サブ画素の電子輸送層、正孔輸送層及び発光層の材料とそれぞれ同じ部分を含み、前記第２部分は、前記第２サブ画素の電子輸送層、正孔輸送層及び発光層の材料とそれぞれ同じ部分を含む、請求項４に記載の発光素子。
【請求項６】
前記バリア部材は絶縁層を含む、請求項１に記載の発光素子。
【請求項７】
前記バリア部材が前記画素定義層上に形成される勾配角θは、１°＜θ＜６０°の範囲である、請求項１〜６のいずれかに記載の発光素子。
【請求項８】
前記第１部分は、前記第１サブ画素の機能層が前記画素定義層の上に延びる部分であり、
前記第２部分は、前記第２サブ画素の機能層が前記画素定義層の上に延びる部分である、請求項２に記載の発光素子。
【請求項９】
前記第２部分が前記第１部分を覆う場合、
前記第１サブ画素は赤色サブ画素であり、前記第２サブ画素は緑色サブ画素又は青色サブ画素である；又は、前記第１サブ画素は緑色サブ画素であり、前記第２サブ画素は青色サブ画素である、請求項８に記載の発光素子。
【請求項１０】
前記複数のサブ画素のうち、前記青色サブ画素の機能層と前記青色サブ画素の機能層の延在部分の面積の和＞前記赤色サブ画素の機能層と前記赤色サブ画素の機能層の延在部分の面積の和＞前記緑色サブ画素の機能層と前記緑色サブ画素の機能層の延在部分の面積の和である、請求項９に記載の発光素子。
【請求項１１】
前記第１サブ画素が赤色サブ画素であり、前記第２サブ画素が緑色サブ画素である場合、前記バリア部材の厚さは５００Å〜３５００Åの範囲であり、
前記第１サブ画素が緑色サブ画素であり、前記第２サブ画素が青色サブ画素である場合、前記バリア部材の厚さは４００Å〜２７００Åの範囲であり、又は、
前記第１サブ画素が赤色サブ画素であり、前記第２サブ画素が青色サブ画素である場合、前記バリア部材の厚さは４００Å〜２７００Åの範囲である、請求項１又は２に記載の発光素子。
【請求項１２】
第１電極を有する複数の駆動トランジスタと、
前記複数の駆動トランジスタの一側に位置する基板と、
前記複数の駆動トランジスタの前記基板と反対側に位置し、各々が第２電極、第３電極及び機能層を含む複数の有機発光ダイオードであって、前記第２電極と前記第１電極とが電気的に接続され、前記機能層の少なくとも一部が前記第２電極と前記第３電極との間に位置し、前記複数の有機発光ダイオードは、少なくとも画素定義層によって離間された第１有機発光ダイオードと第２有機発光ダイオードを含み、前記機能層は、少なくとも発光層を含み、前記発光層の前記駆動トランジスタから離れた一面の面積は、前記第２電極の前記駆動トランジスタから離れた一面の面積より大きい、複数の有機発光ダイオードと、
前記画素定義層の前記駆動トランジスタから離れた一側に位置し、前記基板における投影は前記第２電極の前記基板における投影と離間され、前記機能層と同じ材料の部分を含むバリア部材とを備える、発光素子。
【請求項１３】
前記第１電極はソースであり、
前記駆動トランジスタは、ゲート、ドレイン及び半導体層をさらに含み、
前記半導体層の前記基板における投影は、前記第２電極の前記基板における投影内に位置する、請求項１２に記載の発光素子。
【請求項１４】
前記機能層は、正孔輸送層及び電子輸送層をさらに含み、
前記正孔輸送層の前記駆動トランジスタから離れた一面の面積は、前記第２電極の前記駆動トランジスタから離れた一面の面積より大きく、前記電子輸送層の前記駆動トランジスタから離れた一面の面積は、前記第２電極の前記駆動トランジスタから離れた一面の面積より大きい、請求項１２に記載の発光素子。
【請求項１５】
前記バリア部材が前記画素定義層に形成される勾配角θは、１°＜θ＜６０°の範囲である、請求項１２に記載の発光素子。
【請求項１６】
前記バリア部材は、第１部分及び第２部分を含み、前記第１部分の材料は、前記第１有機発光ダイオードの機能層の少なくとも一部の材料と同じであり、前記第２部分の材料は、前記第２有機発光ダイオードの機能層の少なくとも一部の材料と同じであり、ここで、前記第１部分と前記第２部分とは、前記画素定義層上に重なる、請求項１２に記載の発光素子。
【請求項１７】
前記第１部分は、前記第１有機発光ダイオードの機能層が前記画素定義層の上に延びる部分であり、前記第２部分は、前記第２有機発光ダイオードの機能層が前記画素定義層の上に延びる部分である、請求項１６に記載の発光素子。
【請求項１８】
前記第２部分が前記第１部分を覆う場合、
前記第１有機発光ダイオードは赤色有機発光ダイオードであり、前記第２有機発光ダイオードは緑色有機発光ダイオード又は青色有機発光ダイオードである；又は、前記第１有機発光ダイオードは緑色有機発光ダイオードであり、前記第２有機発光ダイオードは青色有機発光ダイオードである、請求項１６に記載の発光素子。
【請求項１９】
前記第１有機発光ダイオードが赤色有機発光ダイオードであり、前記第２有機発光ダイオードが緑色有機発光ダイオードである場合、前記バリア部材の厚さは５００Å〜３５００Åの範囲であり、
前記第１有機発光ダイオードが緑色有機発光ダイオードであり、前記第２有機発光ダイオードが青色有機発光ダイオードである場合、前記バリア部材の厚さは４００Å〜２７００Åの範囲であり、又は、
前記第１有機発光ダイオードが赤色有機発光ダイオードであり、前記第２有機発光ダイオードが青色有機発光ダイオードである場合、前記バリア部材の厚さは４００Å〜２７００Åの範囲である、請求項１８に記載の発光素子。
【請求項２０】
請求項１〜１９のいずれかに記載の発光素子を備える、表示装置。
【請求項２１】
初期ベース構造に画素定義層を形成し、前記画素定義層に前記初期ベース構造を露出する複数の開口を形成するステップと、
前記複数の開口内に複数のサブ画素のための機能層を形成し、そして前記画素定義層上にバリア部材を形成するステップとを有する、発光素子の製造方法。
【請求項２２】
前記バリア部材の材料が前記複数のサブ画素の機能層の少なくとも一部の材料と同じである場合、前記複数のサブ画素の機能層を形成する過程中に前記バリア部材が形成される、請求項２１に記載の発光素子の製造方法。
【発明の詳細な説明】
【技術分野】
【０００１】
（関連出願との相互参照）
この出願は、２０１８年３月２７日に中国特許局に出願した、出願番号が２０１８２０４１８２４３．０である中国特許出願を基礎とする優先権を主張し、その内容の全てが参照によって本出願に組み込まれる。
【０００２】
本開示は、表示技術分野に関し、特に発光素子及びその製造方法、表示装置に関するものである。
【背景技術】
【０００３】
関連技術のＯＬＥＤ（Ｏｒｇａｎｉｃ  Ｌｉｇｈｔ−Ｅｍｉｔｔｉｎｇ  Ｄｉｏｄｅ、有機発光ダイオード）素子では、複数色のサブ画素における発光層材料がＦＭＭ（Ｆｉｎｅ  ｍｅｔａｌ  ｍａｓｋ、ファインメタルマスク）工程によって別々に形成される場合、各サブ画素内に、対応する色の有機層を蒸着する必要がある。サブ画素の発光領域の境界は、画素定義層（Ｐｉｘｅｌ  Ｄｅｆｉｎｅ  Ｌａｙｅｒ、ＰＤＬと略称する）によって限定され、１つのサブ画素ウェルを形成する。有機層は、該サブ画素ウェル内に充填される。しかしながら、サブ画素が発光する時、光は依然としてＰＤＬの材料内で伝送されることができる。
【０００４】
現在、小型製品のＰＰＩ（ｐｉｘｅｌｓ  ｐｅｒ  ｉｎｃｈ、１インチあたりの画素数）はますます高くなり、サブ画素の間隔はますます小さくなるが、発光輝度はますます高くする必要がある。ＯＬＥＤ素子では、各サブ画素から発光される光は、主にサブ画素の表面に垂直な方向に沿って射出される。
【発明の概要】
【発明が解決しようとする課題】
【０００５】
本開示の発明者は、各サブ画素において、一部の光がサブ画素の表面に対して傾斜する方向に沿って射出されることを発見した。これにより、隣接する異なる色のサブ画素の間に混光現象が発生し、その結果、色域が悪くなり、視覚効果が低下する。
これに鑑み、本開示の実施例は、隣接するサブ画素の間の混光現象を抑制するための発光素子を提供する。
【課題を解決するための手段】
【０００６】
本開示の実施例の一態様によれば、画素定義層と、前記画素定義層によって離間された、隣接する第１サブ画素の機能層及び第２サブ画素の機能層を含む機能層をそれぞれ有する複数のサブ画素と、前記画素定義層に設けられるバリア部材とを備える発光素子を提供する。
【０００７】
幾つかの実施例において、前記バリア部材は、第１部分及び第２部分を含み、前記第１部分の材料は、前記第１サブ画素の機能層の少なくとも一部の材料と同じであり、前記第２部分の材料は、前記第２サブ画素の機能層の少なくとも一部の材料と同じであり、ここで、前記第１部分と前記第２部分とは、前記画素定義層上に重なる。
【０００８】
幾つかの実施例において、前記機能層は発光層を含む。
【０００９】
幾つかの実施例において、前記機能層は電子輸送層及び正孔輸送層をさらに含み、前記発光層は、前記電子輸送層と前記正孔輸送層との間に位置し；前記第１部分と前記第２部分がいずれも前記電子輸送層と同じ材料の部分を含む場合、前記第１部分に含まれる前記電子輸送層と同じ材料の部分と、前記第２部分に含まれる前記電子輸送層と同じ材料の部分とは離間され；前記第１部分と前記第２部分がいずれも前記正孔輸送層と同じ材料の部分を含む場合、前記第１部分に含まれる前記正孔輸送層と同じ材料の部分と、前記第２部分に含まれる前記正孔輸送層と同じ材料の部分とは離間される。
【００１０】
幾つかの実施例において、前記第１部分は、前記第１サブ画素の電子輸送層、正孔輸送層及び発光層の材料とそれぞれ同じ部分を含み、前記第２部分は、前記第２サブ画素の電子輸送層、正孔輸送層及び発光層の材料とそれぞれ同じ部分を含む。
【００１１】
幾つかの実施例において、前記バリア部材は絶縁層を含む。
【００１２】
幾つかの実施例において、前記バリア部材が前記画素定義層に形成される勾配角θは、１°＜θ＜６０°の範囲である。
【００１３】
幾つかの実施例において、前記第１部分は、前記第１サブ画素の機能層が前記画素定義層の上に延びる部分であり、前記第２部分は、前記第２サブ画素の機能層が前記画素定義層の上に延びる部分である。
【００１４】
幾つかの実施例において、前記第２部分が前記第１部分を覆う場合、前記第１サブ画素は赤色サブ画素であり、前記第２サブ画素は緑色サブ画素又は青色サブ画素である；又は、前記第１サブ画素は緑色サブ画素であり、前記第２サブ画素は青色サブ画素である。
【００１５】
幾つかの実施例において、前記複数のサブ画素のうち、前記青色サブ画素の機能層と前記青色サブ画素の機能層の延在部分の面積の和＞前記赤色サブ画素の機能層と前記赤色サブ画素の機能層の延在部分の面積の和＞前記緑色サブ画素の機能層と前記緑色サブ画素の機能層の延在部部分の面積の和、である。
【００１６】
幾つかの実施例において、前記第１サブ画素が赤色サブ画素であり、前記第２サブ画素が緑色サブ画素である場合、前記バリア部材の厚さ範囲は５００Å〜３５００Åであり；前記第１サブ画素が緑色サブ画素であり、前記第２サブ画素が青色サブ画素である場合、前記バリア部材の厚さ範囲は４００Å〜２７００Åであり；又は、前記第１サブ画素が赤色サブ画素であり、前記第２サブ画素が青色サブ画素である場合、前記バリア部材の厚さ範囲は４００Å〜２７００Åである。
【００１７】
本開示の実施例の他の一つの態様によれば、各々が第１電極を有する複数の駆動トランジスタと、前記複数の駆動トランジスタの一側に位置する基板と、前記複数の駆動トランジスタの前記基板と反対側に位置し、各々が第２電極、第３電極及び機能層を含む複数の有機発光ダイオードであって、前記第２電極と前記第１電極とが電気的に接続され、前記機能層の少なくとも一部が前記第２電極と第３電極との間に位置し、前記複数の有機発光ダイオードは、少なくとも画素定義層によって離間された第１有機発光ダイオードと第２有機発光ダイオードを含み、前記機能層は、少なくとも発光層を含み、前記発光層の面積は前記第２電極の面積より大きい、複数の有機発光ダイオードと、前記画素定義層の前記駆動トランジスタから離れた一側に位置し、前記基板における投影は前記第２電極の前記基板における投影と離間され、前記機能層と同じ材料の部分を含むバリア部材とを備える、発光素子を提供する。
【００１８】
幾つかの実施例において、前記第１電極はソースであり、前記駆動トランジスタはゲート、ドレイン及び半導体層をさらに含み、前記半導体層の前記基板における投影は、前記第２電極の前記基板における投影内に位置する。
【００１９】
幾つかの実施例において、前記機能層は、正孔輸送層及び電子輸送層をさらに含み、前記正孔輸送層の前記駆動トランジスタから離れた一面の面積は、前記第２電極の前記駆動トランジスタから離れた一面の面積より大きく、前記電子輸送層の前記駆動トランジスタから離れた一面の面積は、前記第２電極の前記駆動トランジスタから離れた一面の面積より大きい。
【００２０】
幾つかの実施例において、前記バリア部材が前記画素定義層上に形成される勾配角θは、１°＜θ＜６０°の範囲である。
【００２１】
幾つかの実施例において、前記バリア部材は、第１部分及び第２部分を含み、前記第１部分の材料は、前記第１有機発光ダイオードの機能層の少なくとも一部の材料と同じであり、前記第２部分の材料は、前記第２有機発光ダイオードの機能層の少なくとも一部の材料と同じであり、ここで、前記第１部分と前記第２部分とは、前記画素定義層に重なる。
【００２２】
幾つかの実施例において、前記第１部分は、前記第１有機発光ダイオードの機能層が前記画素定義層の上に延びる部分であり、前記第２部分は、前記第２有機発光ダイオードの機能層が前記画素定義層の上に延びる部分である。
【００２３】
幾つかの実施例において、前記第２部分が前記第１部分を覆う場合、前記第１有機発光ダイオードは赤色有機発光ダイオードであり、前記第２有機発光ダイオードは緑色有機発光ダイオード又は青色有機発光ダイオードであり；又は、前記第１有機発光ダイオードは緑色有機発光ダイオードであり、前記第２有機発光ダイオードは青色有機発光ダイオードである。
【００２４】
幾つかの実施例において、前記第１有機発光ダイオードが赤色有機発光ダイオードであり、前記第２有機発光ダイオードが緑色有機発光ダイオードである場合、前記バリア部材の厚さは５００Å〜３５００Åの範囲であり；前記第１有機発光ダイオードが緑色有機発光ダイオードであり、前記第２有機発光ダイオードが青色有機発光ダイオードである場合、前記バリア部材の厚さは４００Å〜２７００Åの範囲であり；又は、前記第１有機発光ダイオードが赤色有機発光ダイオードであり、前記第２有機発光ダイオードが青色有機発光ダイオードである場合、前記バリア部材の厚さは４００Å〜２７００Åの範囲である。
【００２５】
本開示の実施例のもう一つの態様によれば、上述に記載の発光素子を備える表示装置を提供する。
【００２６】
本開示の実施例のさらに一つの態様によれば、初期ベース構造に画素定義層を形成し、前記画素定義層に前記初期ベース構造を露出する複数の開口を形成するステップと、前記複数の開口内に複数のサブ画素のための機能層を形成し、そして前記画素定義層上にバリア部材を形成するステップとを有する、発光素子の製造方法を提供する。
【００２７】
幾つかの実施例において、前記バリア部材の材料が前記複数のサブ画素の機能層の少なくとも一部の材料と同じである場合、前記複数のサブ画素の機能層を形成する過程中に前記バリア部材が形成される。
【００２８】
上記の発光素子において、画素定義層にはバリア部材が設けられている。このバリア部材は、第１サブ画素及び第２サブ画素がそれぞれ画素定義層の上方に発射されて混光現象を発生させる光線を、可能な限り阻止することができる。こうして、隣接する第１サブ画素と第２サブ画素との間の混光現象を抑制して、表示効果を向上することができる。
【００２９】
以下、図面を参照しながら、本開示の例示的な実施例を詳細に説明するが、本開示の他の特徴及びその利点がより明らかになる。
【図面の簡単な説明】
【００３０】
明細書の一部を構成する図面は、本開示の実施例を説明し、明細書と共に本開示の原理を解釈するものである。
本開示は、図面を参照しながら、以下の詳細な説明によれば、より明確に理解されることができる。
【図１】本開示の幾つかの実施例に係る発光素子を概略的に示す断面図である。
【図２】本開示の他の幾つかの実施例に係る発光素子を概略的に示す断面図である。
【図３】本開示の別の幾つかの実施例に係る発光素子を概略的に示す断面図である。
【図４】本開示の別の幾つかの実施例に係る発光素子を概略的に示す上面図である。
【図５】本開示の幾つかの実施例に係る発光素子の製造方法を示すフローチャートである。
【図６】本開示の幾つかの実施例に係る発光素子の製造過程中の図５におけるステップＳ５２０の構造を概略的に示す断面図である。  理解すべきなのは、図面に示されている各部の寸法は、実際の比例関係に従って描かれたものではないことである。なお、同一又は類似の参照符号は、同一又は類似の構成要素を示す。
【発明を実施するための形態】
【００３１】
以下、図面を参照しながら、本開示の各例示的な実施例を詳細に説明する。例示的な実施例の説明は、単に例示的なものであり、決して本開示及びその適用又は使用に対するいかなる制限として解釈されない。本開示は、明細書に記載の実施例に限定されなく、多くの異なる形態で実現され得る。これらの実施例は、本開示を徹底的且つ完全的にさせ、そして当業者に本開示の範囲を十分に示すように提供される。注意すべきなのは、特に明記しない限り、これらの実施例に記載の部品及びステップの相対配置、材料の成分、数値表現式及び数値は、限定されるものではなく、単なる例示的なものとして解釈されるべきである。
【００３２】
本開示に用いられる用語「第１」、「第２」及び類似の用語は、いかなる順序、数量又は重要性を示すものではなく、異なる構成要素を区別するために使用されるだけである。「備える」又は「含む」などの類する用語とは、その用語の前に現れる要素が、その用語の後に現れる要素を包含することを意味するが、他の要素も包含する可能性も除外されるとは意図しない。「上」、「下」、「左」、「右」などは、相対位置関係を示すためのみに使用され、説明された対象の絶対位置が変化すると、該相対位置関係もそれに応じて変化する。
【００３３】
本開示では、特定の素子が第一素子と第二素子との間に位置することが説明される時、当該特定の素子と第一素子又は第二素子との間には、介在素子が存在してもよく、存在しなくてもよい。特定の素子が他の素子に接続されることが説明される時、当該特定の素子は、介在素子を有することなく他の素子に直接接続されてもよいし、他の素子に直接接続されなく介在素子を有してもよい。
【００３４】
本開示で使用される全ての用語（技術的又は科学的用語を含む）は、特に明記しない限り、本開示が属する技術分野の当業者によって理解されるものと同じ意味を有する。また、理解すべきなのは、一般辞書などに定義された用語は、関連技術の文脈における意味と一致する意味を有すると解釈されるべきであり、明細書で明確に定義しない限り、理想化又は極度の形式化の意味で解釈されるべきではない。
【００３５】
関連分野の当業者に知られている技術、方法及び装置については詳細に検討しないが、適宜な場合、前記技術、方法及び装置は、明細書の一部とみなされるべきである。
本開示の発明者は、各サブ画素において、一部の光がサブ画素の表面に対して傾斜する方向に沿って射出されることを発見した。これにより、隣接する異なる色のサブ画素の間に混光現象が発生し、その結果、色域が悪くなり、視覚効果が低下する。
【００３６】
これに鑑み、本開示の実施例は、隣接するサブ画素の間の混光現象を抑制するための発光素子を提供する。以下、図面を参照しながら、本開示の幾つかの実施例に係る発光素子を詳細に説明する。図１は本開示の幾つかの実施例に係る発光素子を概略的に示す断面図である。
【００３７】
図１に示すように、この発光素子は、画素定義層２、複数のサブ画素及びバリア部材８０を備えることができる。各々のサブ画素は機能層を含んでもよい。該複数のサブ画素の機能層は、画素定義層２によって離間された、隣接する第１サブ画素７１の機能層及び第２サブ画素７２の機能層を含むことができる。該バリア部材８０は、画素定義層２に設けられることができる。また、図１には、アノード（第１サブ画素用の第１アノード４１及び第２サブ画素用の第２アノード４２を含む）、ビア５及びアノードとバックプレーン回路（図１には図示せず）との間のスペーサ絶縁層６をさらに示されている。このビア５は、スペーサ絶縁層６に形成された貫通孔であり、貫通孔内には導電材料層（例えば金属層）を有している。アノードとバックプレーン回路とは、ビア５内の導電材料層を介して導通される。説明すべきなのは、図１では、アノードとビア５内の導電材料層とが一体的に形成された構造を示しているが、本開示の実施例の範囲はこれに限定されず、当該アノードとビア内の導電材料層とが別体に形成された構造であってもよい。例えば、アノードとビア内の導電材料層とは、異なる材料の構造であってもよい。
【００３８】
該実施例の発光素子において、画素定義層にはバリア部材が設けられている。このバリア部材は、第１サブ画素及び第２サブ画素がそれぞれ画素定義層の上方に発射されて混光現象を発生させる光線を、可能な限り阻止することができる。こうして、隣接する第１サブ画素と第２サブ画素との間の混光現象を抑制して、表示効果を向上することができる。
【００３９】
幾つかの実施例において、図１に示すよう、該バリア部材８０が画素定義層上に形成される勾配角θは、１°＜θ＜６０°の範囲であってもよい。例えば、当該勾配角θは１０°、２０°、３０°又は５０°等であってもよい。ここで、勾配角は、バリア部材の傾斜面と画素定義層の上表面との間の夾角であってもよい。当該実施例において、上記の適切な範囲の勾配角に設定することにより、隣接するサブ画素の間の混光現象を可能な限り低減することができ、サブ画素が正常に発射された光線に対する阻止を可能な限り回避することができる。説明すべきなのは、当業者が必要に応じて勾配角θを他の角度に設定してもよく、本開示の実施例における勾配角θはこの範囲に限定されない。
【００４０】
幾つかの実施例において、該バリア部材８０は絶縁層を含んでもよい。例えば、該絶縁層は、二酸化珪素と窒化珪素の少なくとも一種を含んでもよい。該実施例において、画素定義層上にバリア部材として絶縁層を用いる実施例を説明した。しかしながら、本開示の実施例の形態はこれに限定されない。本開示の実施例は、サブ画素の機能層と同じ材料の構造層を用いてバリア部材を形成する実施例をさらに含むことができる。
【００４１】
幾つかの実施例において、バリア部材は第１部分及び第２部分を含んでもよい。該第１部分の材料は、第１サブ画素の機能層の少なくとも一部の材料と同じである。該第２部分の材料は、第２サブ画素の機能層の少なくとも一部の材料と同じである。該第１部分と該第２部分とは、画素定義層上に重なる。該実施例において、隣接する２つのサブ画素の少なくとも一部の機能層と同じ材料の構造層をバリア部材として利用し、製造過程中に他の材料層を導入する必要がなく、製造過程中により容易に実施する。
【００４２】
幾つかの実施例において、バリア部材の第１部分は、第１サブ画素の機能層が画素定義層の上に延びる部分であってもよいし、該バリア部材の第２部分は、第２サブ画素の機能層が画素定義層の上に延びる部分であってもよい。例えば、各サブ画素の機能層が画素定義層の上に延びてもよく、こうして隣接する第１サブ画素と第２サブ画素とは、それぞれ一部の機能層が画素定義層の上に重なっており、これにより重なり部分を形成する。この重なり部分は、バリア部材として機能することができる。もちろん、本開示の実施例の範囲は、ここで説明された延在状況に限定されなく、例えば、製造過程中に、重なり部分の機能層は、それぞれ対応するサブ画素の機能層と離間されてもよい。
【００４３】
幾つかの実施例において、機能層は発光層を含んでもよい。例えば、バリア部材の第１部分は、第１サブ画素の発光層と同じ材料の部分を含んでもよく、バリア部材の第２部分は第２サブ画素の発光層と同じ材料の部分を含んでもよい。
【００４４】
他の幾つかの実施形態において、機能層は、電子輸送層（Ｅｌｅｃｔｒｏｎ  Ｔｒａｎｓｐｏｒｔ  Ｌａｙｅｒ、ＥＴＬと略称する）及び正孔輸送層（Ｈｏｌｅ  Ｔｒａｎｓｐｏｒｔ  Ｌａｙｅｒ、ＨＴＬと略称する）をさらに含むことができる。発光層は、該電子輸送層と該正孔輸送層との間に位置される。例えば、電子輸送層、正孔輸送層及び発光層は共に有機層であってもよい。説明すべきなのは、機能層は、電子輸送層、正孔輸送層及び発光層のうちの少なくとも１つ以外、他の有機層又は無機層を含んでもよい。例えば、機能層は、電子バリア層又は正孔バリア層などを含んでもよい。従って、本開示の実施例の範囲は、ここに挙げられた機能層の例示に限定されない。
【００４５】
幾つかの実施例において、バリア部材の第１部分は、第１サブ画素の電子輸送層、正孔輸送層及び発光層の少なくとも一層と同じ材料の部分を含んでもよい。バリア部材の第２部分は、第２サブ画素の電子輸送層、正孔輸送層及び発光層の少なくとも一層と同じ材料の部分を含んでもよい。例えば、第１サブ画素の電子輸送層、正孔輸送層及び発光層の少なくとも一層を、画素定義層上まで延びさせ、第２サブ画素の電子輸送層、正孔輸送層及び発光層の少なくとも一層も画素定義層上まで延びさせてもよい。２つの延在部分は、画素定義層上に重なっており、これにより重なり部分を形成する。この重なり部分は、バリア部材として機能することができる。もちろん、本開示の実施例の範囲は、ここに説明された延在状況に限定されない。例えば、製造過程中に、重なり部分は、それぞれ対応するサブ画素と離間されてもよい。
【００４６】
バリア部材の第１部分と第２部分とがいずれも電子輸送層と同じ材料の部分を含む場合、該第１部分に含まれる電子輸送層と同じ材料の部分と、該第２部分に含まれる電子輸送層と同じ材料の部分とは離間される。例えば、第１部分が第１サブ画素の電子輸送層と同じ材料の部分を含み、且つ第２部分が第２サブ画素の電子輸送層と同じ材料の部分を含む場合、該第１部分に含まれた第１サブ画素の電子輸送層と同じ材料の部分と、該第２部分に含まれた第２サブ画素の電子輸送層と同じ材料の部分とは離間される。該実施例では、画素定義層のバリア部材に近接する表面に垂直な方向において、第１部分に含まれた電子輸送層と同じ材料の部分と第２部分に含まれた電子輸送層と同じ材料の部分とが、異なる構造層によって離間されることができ、これにより異なるサブ画素の間の電子は互いに影響を与えず、サブ画素の発光精度が向上する。
【００４７】
バリア部材の第１部分と第２部分とがいずれも正孔輸送層と同じ材料の部分を含む場合、該第１部分に含まれる正孔輸送層と同じ材料の部分と、該第２部分に含まれる正孔輸送層と同じ材料の部分とは離間される。例えば、第１部分が第１サブ画素の正孔輸送層と同じ材料の部分を含み、且つ第２部分が第２サブ画素の正孔輸送層と同じ材料の部分を含む場合、該第１部分に含まれた第１サブ画素の正孔輸送層と同じ材料の部分と、該第２部分に含まれた第２サブ画素の正孔輸送層と同じ材料の部分とは離間される。該実施例では、画素定義層のバリア部材に近接する表面に垂直な方向において、第１部分に含まれた正孔輸送層と同じ材料の部分と第２部分に含まれた正孔輸送層と同じ材料の部分とが、異なる構造層によって離間されることができ、これにより異なるサブ画素の間の正孔は互いに影響を与えず、サブ画素の発光精度が向上される。
【００４８】
以下、図２及び図３を参照して、機能層の重なり部分をバリア部材として機能する実施例を詳細に説明する。
【００４９】
図２は、本開示の他の幾つかの実施例に係る発光素子を概略的に示す断面図である。図２に示すように、この発光素子は、画素定義層２、複数のサブ画素及びバリア部材８０’を含むことができる。各々のサブ画素は機能層を含んでもよい。該複数のサブ画素の機能層は、画素定義層２によって離間された、隣接する第１サブ画素７１の機能層及び第２サブ画素７２の機能層を含むことができる。該バリア部材８０’は、画素定義層２に設けられることができる。
【００５０】
例えば、図２に示すように、第１サブ画素７１の機能層は、電子輸送層（第１電子輸送層と呼ぶことができる）３１１、正孔輸送層（第１正孔輸送層と呼ぶことができる）３１３、及び該電子輸送層３１１と該正孔輸送層３１３との間における発光層（第１発光層と呼ぶことができる）３１２を備えることができる。第２サブ画素７２の機能層は、電子輸送層（第２電子輸送層と呼ぶことができる）３２１、正孔輸送層（第２正孔輸送層と呼ぶことができる）３２３、及び該電子輸送層３２１と該正孔輸送層３２３との間における発光層（第２発光層と呼ぶことができる）３２２を備えることができる。
【００５１】
幾つかの実施例において、図２に示すように、バリア部材８０’の第１部分は、第１サブ画素７１の発光層３１２と同じ材料の部分を含んでもよい。幾つかの実施例において、該バリア部材８０’の第２部分は、第２サブ画素７２の発光層３２２と同じ材料の部分を含んでもよい。
【００５２】
例えば、図２に示すように、第１発光層３１２及び第２発光層３２２とは、それぞれ画素定義層２の上に延びてもよい。しかも、２つの発光層の延在部分は、該画素定義層２に重なっており、これにより重なり部分を形成する。この重なり部分はバリア部材８０’として機能することができる。このバリア部材８０’では、第２発光層３２２の延在部分が第１発光層３１２の延在部分を覆う。このバリア部材は、隣接する２つのサブ画素から発射され混光現象を引き起こす光線を阻止する効果を実現することができ、従って、２つのサブ画素の混光現象を抑制することができる。
【００５３】
幾つかの実施例において、図２に示すよう、バリア部材８０’としての重なり部分の画素定義層に形成される勾配角θは、１°＜θ＜６０°の範囲であってもよい。該実施例において、２つの発光層が重なる時、上層にある発光層が下層にある発光層を覆う際に登り勾配を呈す状態となるため、勾配角が形成される。前文に記載の勾配角の範囲内において、機能層（例えば有機層）及び該機能層におけるカソード層（後述で説明する）は、底角で容易に破断することがなく、よって電気的性能が影響されない。
【００５４】
幾つかの実施例において、図２に示すように、バリア部材の第２部分（例えば、第２発光層３２２の延在部分）が第１部分（例えば、第１発光層３１２の延在部分）を覆う場合、第１サブ画素７１は赤色サブ画素であってもよく、第２サブ画素７２は緑色サブ画素又は青色サブ画素であってもよい。他の幾つかの実施例において、バリア部材の第２部分が第１部分を覆う場合、第１サブ画素７１は緑色サブ画素であってもよく、第２サブ画素７２は青色サブ画素であってもよい。ここで、赤色サブ画素は赤色光を発光できるサブ画素であり、緑色サブ画素は緑色光を発光できるサブ画素であり、青色サブ画素は青色光を発光できるサブ画素である。
【００５５】
上記の実施例において、バリア部材としての重なり部分において、緑色サブ画素又は青色サブ画素の発光層と同じ材料の部分が、赤色サブ画素の発光層と同じ材料の部分を覆う。又は、重なり部分において、青色サブ画素の発光層と同じ材料の部分が、緑色サブ画素の発光層と同じ材料の部分を覆う。このようなオーバーラップ被覆方式によれば、製造過程中に、ＲＧＢ（Ｒは赤色サブ画素を示し、Ｇは緑色サブ画素を示し、Ｂは青色サブ画素を示す）の三者の有機層（例えば発光層）の厚さを徐々に薄くすることができ、これにより、後続の蒸着工程の時間を前より短くさせることができ、前に形成された膜層材料に与える影響が比較的小さい。
【００５６】
例えば、赤色サブ画素の発光層を先に形成し、そして青色又は緑色サブ画素の発光層を形成する。青色又は緑色サブ画素の発光層は、赤色サブ画素の発光層より薄いため、青色又は緑色サブ画素の発光層を形成する時に要する蒸着工程の時間は比較的短く、これにより、既に形成された赤色サブ画素の発光層に対する影響が比較的小さい。
また、人間の目は青色サブ画素に対して敏感ではなく、青色発光層が最上層に位置する。こうして、青色蛍光が発生しても、青色発光層の重なり領域における光純度を大きく影響するが、人間の目で見た画像効果に対する影響が比較的小さい。
【００５７】
本開示の幾つかの実施例において、図２に示すように、発光素子は、カソード層１をさらに含むことができる。例えば、このカソード層１は、複数のサブ画素の領域全体（アクティブ領域と呼ぶことができる）を覆ってもよい。このカソード層１は、電子輸送層の上に位置される。
【００５８】
本開示の幾つかの実施例において、発光素子は、駆動トランジスタ（例えば、ＴＦＴ（Ｔｈｉｎ  Ｆｉｌｍ  Ｔｒａｎｓｉｓｔｏｒ、薄膜トランジスタ））をさらに含むことができる。例えば、図２に示すように、この駆動トランジスタは、半導体層９２、ゲート絶縁層９３、ゲート９４、ソース９５及びドレイン９６などを備えることができる。該半導体層９２は、基板９１上に位置される。例えば、基板９１と半導体層９２との間にバッファ層（不図示）が存在してもよい。ゲート絶縁層９３は、ゲート９４と半導体層９２との間に位置する。ソース９５は、ビア５内の導電材料層を介してアノード４２（又は４１）に接続され、さらに他のビア９７１内の導電材料層を介して半導体層９２に接続されている。ドレイン９６は、もう一つのビア９７２内の導電材料層を介して半導体層９２に接続されている。さらに、発光素子は、他の絶縁層（例えば絶縁層９８１及び９８２）又は平坦化層などをさらに含むことができる。
【００５９】
本開示の実施例において、サブ画素は有機発光ダイオードを含むことができる。以下は、本開示の幾つかの実施例に係る発光素子を、別の角度から詳細に説明することができる。
【００６０】
本開示の実施例は発光素子をさらに提供する。例えば、図２に示すように、この発光素子は、複数の駆動トランジスタ、基板９１、複数の有機発光ダイオード及びバリア部材８０’を備えることができる。
【００６１】
各々の駆動トランジスタは、第１電極を含んでもよい。例えば、この第１電極はソース９５であってもよい。基板９１は、前記複数の駆動トランジスタの一側に位置されている。複数の有機発光ダイオードは、前記複数の駆動トランジスタの該基板９１に対向する他側に位置される。各々の有機発光ダイオードは、第２電極（例えば、アノード４１又は４２）、第３電極（例えば、カソード１）及び機能層を含んでもよい。該第２電極は、該第１電極と電気的に接続される（例えば、アノード４１又は４２は、ソース９５と電気的に接続される）。前記機能層の少なくとも一部は、第２電極と第３電極との間に位置される。前記複数の有機発光ダイオードは、少なくとも画素定義層２によって離間された第１有機発光ダイオード７０１及び第２有機発光ダイオード７０２を含む。機能層は少なくとも発光層３１２又は３２２を含んでもよい。発光層の駆動トランジスタから離れた一面の面積は、第２電極（例えばアノード４１又は４２）の駆動トランジスタから離れた一面の面積より大きい。こうして、発光層と他の機能層（例えば電子輸送層又は正孔輸送層）とを完全に接触させることができ、且つ有効発光面積を可能な限り確保することができる。
【００６２】
バリア部材８０’は、画素定義層２の駆動トランジスタから離れた側に位置する。該バリア部材８０’の基板９１における投影は、第２電極（例えば、アノード４１又は４２）の基板９１における投影から離間される。該バリア部材８０’は、機能層（例えば発光層）と同じ材料の部分を含んでもよい。例えば、該バリア部材８０’は、発光層３１２と３２２とがそれぞれ画素定義層２上に延びて重なる部分を含んでもよい。
【００６３】
幾つかの実施例において、図２に示すように、この駆動トランジスタは、ゲート９４、ドレイン９６及び半導体層９２をさらに備えることができる。該半導体層９２は、基板９１上に位置される。ゲート９４と半導体層９２との間は、ゲート絶縁層９３によって離間されている。ソース９５は、第２電極（例えば、アノード４２又は４１）に接続されている。該ソース９５及びドレイン９６とは、それぞれ半導体層９２に接続されている。該半導体層９２の該基板９１における投影は、第２電極（例えば、アノード４２又は４１）の該基板９１における投影内に位置する。
【００６４】
幾つかの実施例において、図２に示すように、機能層は、正孔輸送層３１３（又は３２３）及び電子輸送層３１１（又は３２１）をさらに含むことができる。
【００６５】
幾つかの実施例において、バリア部材８０’は第１部分及び第２部分を含んでもよい。該第１部分の材料は、第１有機発光ダイオード７０１の機能層の少なくとも一部の材料と同じである。該第２部分の材料は、第２有機発光ダイオード７０２の機能層の少なくとも一部の材料と同じである。例えば、図２に示すように、該バリア部材８０’の第１部分の材料は、第１有機発光ダイオード７０１の発光層３１２の材料と同じであり、該バリア部材８０’の第２部分の材料は、第２有機発光ダイオード７０２の発光層３２２の材料と同じである。該第１部分と該第２部分とは、画素定義層上に重なる。
【００６６】
幾つかの実施例において、第１部分は、第１有機発光ダイオードの機能層が画素定義層の上に延びる部分であってもよく、第２部分は、第２有機発光ダイオードの機能層が画素定義層の上に延びる部分であってもよい。例えば、図２に示すように、第１部分は、第１有機発光ダイオード７０１の発光層３１２が画素定義層２の上に延びる部分であってもよく、第２部分は、第２有機発光ダイオード７０２の発光層３２２が画素定義層２の上に延びる部分であってもよい。
【００６７】
幾つかの実施例において、第２部分が第１部分を覆う場合、第１有機発光ダイオード７０１は赤色有機発光ダイオードであってもよく、第２有機発光ダイオード７０２は緑色有機発光ダイオード又は青色有機発光ダイオードであってもよい。他の幾つかの実施例において、第２部分が第１部分を覆う場合、第１有機発光ダイオード７０１は緑色有機発光ダイオードであってもよく、第２有機発光ダイオード７０２は青色有機発光ダイオードであってもよい。
【００６８】
図３は、本開示の別の幾つかの実施例に係る発光素子を概略的に示す断面図である。図３に示すように、この発光素子は、画素定義層２、複数のサブ画素及びバリア部材８０’’を含むことができる。各サブ画素は機能層を含んでもよい。該複数のサブ画素の機能層は、画素定義層２によって離間された、隣接する第１サブ画素７１の機能層及び第２サブ画素７２の機能層を含むことができる。該バリア部材８０’’は、画素定義層２に設けられることができる。ここで、図３に示す発光素子は、図２に示す発光素子と同一又は類似の構造については説明を省略する。
【００６９】
幾つかの実施例において、図３に示すように、バリア部材８０’’の第１部分は、第１サブ画素７１の電子輸送層３１１、正孔輸送層３１３及び発光層３１２とそれぞれ同じ材料の部分を含んでもよい。幾つかの実施例において、図３に示すように、該バリア部材８０’’の第２部分は、第２サブ画素７２の電子輸送層３２１、正孔輸送層３２３及び発光層３２２とそれぞれ同じ材料の部分を含んでもよい。
【００７０】
例えば、図３に示すように、第１サブ画素７１の電子輸送層３１１、正孔輸送層３１３及び発光層３１２は、全体的に画素定義層２上に延びてもよい。第２サブ画素７２の電子輸送層３２１、正孔輸送層３２３及び発光層３２２も、全体的に画素定義層２上に延びてもよい。第１サブ画素７１における上述した各層の延在部分と第２サブ画素７２における上述した各層の延在部分とは、該画素定義層２上に重なっており、これにより重なり部分を形成する。この重なり部分はバリア部材８０’’として機能することができる。このバリア部材は、隣接する２つのサブ画素から発射され混光現象を引き起こす光線を阻止する効果を実現することができ、従って、２つのサブ画素の混光現象を抑制することができる。
【００７１】
このバリア部材８０’’では、第２サブ画素７２における各層（電子輸送層３２１、正孔輸送層３２３及び発光層３２２を含む）の延在部分は、全体的に第１サブ画素７１における各層（電子輸送層３１１、正孔輸送層３１３及び発光層３１２）の延在部分の上に覆っている。例えば、図３に示すように、重なり部分の構造層では、画素定義層の上表面（即ちバリア部材に近接する表面）に垂直な方向において、２つの電子輸送層３１１と３１２とは、発光層３２２及び正孔輸送層３１３によって離間され、二つの正孔輸送層３１３と３２３は、電子輸送層３１１及び発光層３１２によって離間され、こうして異なるサブ画素の間のキャリアは互いに影響を与えない。説明すべきなのは、正孔輸送層３１３の側面と正孔輸送層３２３とは接触する可能性があるが、接触面積が非常に小さく、接触抵抗が大きくなり、正孔が２つの正孔輸送層の間で伝送するのが非常に難しいため、異なるサブ画素の発光にほとんど影響を与えない。
【００７２】
図２に示す発光素子の構造と比べて、図３に示す発光素子において、すべての機能層が隣接するサブ画素の間で重なっているため、重なり部分の厚さ、即ちバリア部材の厚さを増加させ、ひいては混光の阻止効果を向上させることができる。
【００７３】
幾つかの実施例において、図３に示すように、バリア部材８０’’の重なり部分の画素定義層上に形成される勾配角θは、１°＜θ＜６０°の範囲であってもよい。
幾つかの実施例において、前述と同様に、図３に示すように、バリア部材の第２部分が第１部分を覆う場合、該第１サブ画素７１は赤色サブ画素であってもよく、該第２サブ画素７２は緑色サブ画素又は青色サブ画素であってもよい。他の幾つかの実施例において、前述と同様に、図３に示すように、バリア部材の第２部分が第１部分を覆う場合、該第１サブ画素７１は緑色サブ画素であってもよく、該第２サブ画素７２は青色サブ画素であってもよい。このような設計は、人間の目で見た画像効果に対する影響が比較的小さい。
【００７４】
説明すべきなのは、図２は、２つのサブ画素の発光層が画素定義層上で重なってバリア部材を形成する実施形態を示し、図３は、２つのサブ画素の電子輸送層、正孔輸送層及び発光層が画素定義層上で重なってバリア部材を形成する実施形態を示すものである。理解するべきなのは、本開示の実施例のバリア部材は、上記の実施例で言及された構造に限定されない。例えば、該バリア部材は、電子輸送層３１１と正孔輸送層３２３とを画素定義層上に重なることによって形成される構造を含んでもよい。また、例えば、該バリア部材は、２つの発光層３１２と３２２、電子輸送層３１１及び正孔輸送層３２３を画素定義層上に重なることによって形成される構造を含んでもよい。さらに例えば、該バリア部材は、２つの発光層３１２と３２２、電子輸送層３２１及び正孔輸送層３１３を画素定義層上に重なることによって形成される構造を含んでもよい。もちろん、当業者であれば、該バリア部材は機能層を他の方式で重なって形成された構造であってもよいことが理解すべきであり、ここでは一々列挙はしない。
【００７５】
幾つかの実施例において、図３に示すように、正孔輸送層３１３又は３２３の駆動トランジスタから離れた一面の面積は、有機発光ダイオード７０１又は７０２の第２電極（例えばアノード４１又は４２）の駆動トランジスタから離れた一面の面積より大きい。幾つかの実施例において、電子輸送層３１１又は３２１の駆動トランジスタから離れた一面の面積は、有機発光ダイオード７０１又は７０２の第２電極（例えばアノード４１又は４２）の駆動トランジスタから離れた一面の面積より大きい。
【００７６】
幾つかの実施例において、第１サブ画素７１が赤色サブ画素で、第２サブ画素７２が緑色サブ画素である（又は、第１有機発光ダイオード７０１が赤色有機発光ダイオードで、第２有機発光ダイオード７０２が緑色有機発光ダイオードである）場合、バリア部材（例えば、図２又は図３に示す重なり部分）の厚さは、５００Å〜３５００Åの範囲であってもよい。例えば、該バリア部材の厚さは、１０００Å、２０００Å、又は３０００Å等であってもよい。
【００７７】
他の幾つかの実施例において、第１サブ画素７１が緑色サブ画素で、第２サブ画素７２が青色サブ画素である（又は、第１有機発光ダイオード７０１が緑色有機発光ダイオードで、第２有機発光ダイオード７０２が青色有機発光ダイオードである）場合、バリア部材（例えば、図２又は図３に示す重なり部分）の厚さは、４００Å〜２７００Åの範囲であってもよい。例えば、該バリア部材の厚さは、７００Å、１０００Å、又は２０００Åなどであってもよい。
【００７８】
他の幾つかの実施例において、第１サブ画素７１が赤色サブ画素で、第２サブ画素７２が青色サブ画素である（又は、第１有機発光ダイオード７０１が赤色有機発光ダイオードで、第２有機発光ダイオード７０２が青色有機発光ダイオードである）場合、バリア部材（例えば、図２又は図３に示す重なり部分）の厚さは、４００Å〜２７００Åの範囲であってもよい。例えば、該バリア部材の厚さは、７００Å、１０００Å、又は２０００Åなどであってもよい。
【００７９】
図４は、本開示の別の幾つかの実施例に係る発光素子を概略的に示す上面図である。
【００８０】
図４に示すように、第１領域３０１は、赤色サブ画素Ｒの機能層及びその赤色サブ画素Ｒの機能層の延在部分の領域であり、第２領域３０２は、緑色サブ画素Ｇの機能層及びその緑色サブ画素Ｇの機能層の延在部分の領域で、第３領域３０３は、青色サブ画素Ｂの機能層及びその青色サブ画素Ｂの機能層の延在部分の領域である。これらのサブ画素は、隣接するサブ画素の間には、いずれも重なり領域が存在する。
【００８１】
幾つかの実施例において、図４に示すように、複数のサブ画素では、第３領域３０３の面積＞第１領域３０１の面積＞第２領域３０２の面積である。このような設計は、人間の目で見た画像の効果がより良くさせることができる。
【００８２】
幾つかの実施例において、赤緑青の３色のサブ画素で１つの画素を構成してもよいし、１つの赤色サブ画素、１つの青色サブ画素及び２つの緑色サブ画素で１つの画素を構成してもよい。さらに、緑色サブ画素は２つの画素で共有されることができる。
【００８３】
幾つかの実施例において、図４に示すように、複数のサブ画素では、同一行のサブ画素はＲＧＢＧの順に交互に配列されている。このような配列は、異なる色の隣接するサブ画素の間に、いずれも重なり領域を実質的に含むようにする。
【００８４】
幾つかの実施例において、図４に示すように、隣接する２列のサブ画素では、緑色サブ画素Ｇが一列に配列され、赤色サブ画素Ｒと青色サブ画素Ｂとが他の一列に交互に配列されている。このような設計は、緑色サブ画素Ｇを異なる画素に多重化させることができる。例えば、第１行の緑色サブ画素Ｇは、１番目の画面を表示する時に第１行のサブ画素とされてもよく、２番目の画面を表示する時、画面の必要に応じて第２行のサブ画素とされてもよい。こうして、表示される画像の角部をより丸くさせ、解像度をより高くすることができる。
【００８５】
本開示の実施例において、前述に記載の発光素子を備える表示装置をさらに提供する。例えば、図１、図２又は図３に示す発光素子である。例えば、この表示装置は、表示パネル、表示画面、携帯電話、タブレットコンピュータ、ノートブックコンピュータ等が挙げられる。
【００８６】
図５は、本開示の幾つかの実施例に係る発光素子の製造方法を示すフローチャートである。
【００８７】
ステップＳ５２０において、初期ベース構造に画素定義層を形成し、該画素定義層には、該初期ベース構造を露出する複数の開口が形成される。
【００８８】
図６は、本開示の幾つかの実施例に係る発光素子の製造過程中の図５におけるステップＳ５２０の構造を概略的に示す断面図である。図６に示すように、初期ベース構造１００には、画素定義層２が形成されている。例えば、図６に示すように、この初期ベース構造１００は、アノード（例えば、第１アノード４１及び第２アノード４２）、スペーサ絶縁層６及びアノードに接続されたビア５などを含むことができる。もちろん、当業者であれば、初期ベース構造１００は、ここでは個々に示されない他の構造層をさらに含み得ることを理解すべきである。
【００８９】
図６に示すように、該画素定義層２には、初期ベース構造１００を露出する複数の開口２０１が形成されている。例えば、画素定義層２は、複数の開口２０１を形成するようにエッチングされてもよい。例えば、各開口２０１は、１つのアノードを露出させてもよい。例えば、図６に示すように、隣接する２つの開口について、一つの開口は第１アノード４１を露出させ、他の一つの開口は第２アノード４２を露出させる。
【００９０】
図５に戻り、ステップＳ５４０において、複数の開口には、複数のサブ画素のための機能層が形成され、さらに画素定義層には、バリア部材が形成される。
【００９１】
図１は、本開示の幾つかの実施例に係る発光素子の製造過程中の図５におけるステップＳ５４０の構造を概略的に示す断面図である。図１に示すように、複数の開口のうちの１つの開口に第１サブ画素７１の機能層を形成し、隣接するもう一つの開口に第２サブ画素７２の機能層を形成し、及び画素定義層２にバリア部材８０を形成する。
【００９２】
幾つかの実施例において、バリア部材の材料とサブ画素の材料とは異なる。例えば、バリア部材は絶縁層を含むことができ、サブ画素は機能層（例えば、有機層）を含むことができる。このような場合、サブ画素の機能層とバリア部材とは、別々に形成されてもよい。例えば、先に複数の開口に複数のサブ画素のための機能層を形成し、そして画素定義層上にバリア部材を形成することができる。また、例えば、先に画素定義層にバリア部材を形成し、そして複数の開口に複数のサブ画素のための機能層を形成することができる。
【００９３】
他の幾つかの実施例において、バリア部材の材料は、前記複数のサブ画素の機能層の少なくとも一部の材料と同じであってもよい。このような場合、前記複数のサブ画素の機能層を形成する過程中にバリア部材を形成してもよい。例えば、第１サブ画素及び第２サブ画素の一部の機能層を形成する過程中に、これらの機能層の一部を画素定義層上にも形成させることができる。これらの機能層が画素定義層上に重なることにより、バリア部材を形成する。
【００９４】
幾つかの実施例において、サブ画素の機能層は、電子輸送層、正孔輸送層及び発光層を含んでもよい。例えば、第１サブ画素の発光層及び第２サブ画素の発光層を形成する過程中に、蒸着又は印刷工程を用いて第１サブ画素の発光層の一部を画素定義層上に覆わせ；そして、蒸着又は印刷工程を用いて第２サブ画素の発光層の一部を、該第１サブ画素の発光層の該画素定義層に位置する前記部分上に覆わせることができる（図２に示すものを参照してもよい）。こうして、隣接するサブ画素の発光層が画素定義層上に重なることにより、バリア部材を形成する。
【００９５】
ここまで、本開示の幾つかの実施例に係る発光素子の製造方法が提供される。この製造方法において、画素定義層にはバリア部材が形成されている。該バリア部材は、第１サブ画素と第２サブ画素とがそれぞれ画素定義層の上方に発射され混光現象を発生させる光線を、可能な限り阻止することができる。よって、隣接する第１サブ画素と第２サブ画素との間の混光現象を抑制して、表示効果を向上することができる。
【００９６】
ここまで、本開示の各実施例を詳細に説明した。本開示の概念を不明確にすることを避けるため、当分野で周知される細部を説明していない。当業者であれば、上記の説明に基づき、本明細書で開示された技術案を如何にして実施するかを完全に理解することができるだろう。
【００９７】
本開示の幾つかの特定の実施例を例示により詳細に説明したが、当業者であれば、上記の例示が単に説明するためのものであり、本開示の範囲を限定するものではないことを理解すべきである。当業者でれば、本開示の発想及び精神から逸脱しない範囲内に、上記の実施例を変形し、又は一部の技術的特徴を同等に置換えてもよいことを理解すべきである。本開示の範囲は、添付の特許請求の範囲によって限定される。
【図１】
2021516843.tif 000003
【図２】
2021516843.tif 000004
【図３】
2021516843.tif 000005
【図４】
2021516843.tif 000006
【図５】
2021516843.tif 000007
【図６】
2021516843.tif 000008
【国際調査報告】
2021516843.tif 000009
2021516843.tif 000010
2021516843.tif 000011
2021516843.tif 000012